(57)【要約】【課題】使用場所及び目的に応じた相対湿度によって、菌糸の成長を停止させ、カビの繁殖を防ぐことができる除湿機を得ること。【解決手段】本体１内に配設された圧縮機５と、室内の相対湿度を検出する湿度センサ１７と、この湿度センサ１７の検出量に基づいて圧縮機５を制御する制御部１５とを備えた除湿機において、湿度センサ１７により検出された室内の相対湿度がカビの繁殖を抑える所定の湿度範囲で、所定時間、圧縮機５を運転する。【選択図】図３
2006159196.tif 000002
【特許請求の範囲】
【請求項１】
本体内に配設された圧縮機と、室内の相対湿度を検出する湿度センサと、この湿度センサの検出量に基づいて前記圧縮機を制御する制御部とを備えた除湿機において、
前記湿度センサにより検出された室内の相対湿度がカビの繁殖を抑える所定の湿度範囲で、所定時間、前記圧縮機を運転することを特徴とする除湿機。
【請求項２】
本体内に配設された圧縮機と、室内の相対湿度を検出する湿度センサと、この湿度センサの検出量に基づいて前記圧縮機を制御する制御部とを備えた除湿機において、
前記湿度センサにより検出された室内の相対湿度が４０〜６０％の湿度範囲で、所定時間、前記圧縮機を運転することを特徴とする除湿機。
【請求項３】
本体内に配設された圧縮機と、室内の相対湿度を検出する湿度センサと、この湿度センサの検出量に基づいて前記圧縮機を制御する制御部とを備えた除湿機において、
前記湿度センサにより検出された室内の相対湿度が４０〜６０％の間の湿度範囲で、湿度に応じて予め設定された時間、前記圧縮機を運転することを特徴とする除湿機。
【発明の詳細な説明】
【技術分野】
【０００１】
本発明は、冷凍装置を用いる除湿機に係り、より詳しくは、低湿度に一定時間運転を制御することによりカビの繁殖を防止することができる除湿機に関するものである。
【背景技術】
【０００２】
人が快適に過ごせる湿度は、５５％〜７０％の範囲である。従って、従来の冷凍装置を用いた除湿装置における運転ＯＦＦの下限相対湿度は、一般的に約５５％〜６５％である。また、相対湿度を６０％以下に常時保っている場合、カビは防げることも判明している。しかし、除湿装置により、常時６０％以下に保つことは、騒音やランニングコストの面などから問題がある。
【０００３】
そこで、相対湿度をさらに引き下げることによって、短時間で防カビ効果を持たせるようにした乾燥装置があり、例えば、浴室乾燥装置として、特開平１１ー２３７０８７号公報に開示されている。図９は、その乾燥装置の一例を示す構成図である。図において、スイッチ（図示せず）をＯＮすると、あるいは使用者がコントローラ（図示せず）を使用して動作開始を指示すると、装置は動作を開始する。すなわち、換気部５１を構成するファンモータが回転して吸気口５２から浴室内の空気を吸気し、この吸気された空気は、送風経路中に配置してある除湿部５３を構成する吸着剤５３ａを通過する。吸着剤５３ａを通過すると、この送風空気中の水分は吸着剤５３ａによって吸着され、乾燥空気となって、送風口５４から浴室内に吹き込まれる。この吸着工程を継続することによって、浴室内の空気は吸着剤５３ａによって水分を吸着され、乾燥が進行する。
【０００４】
このとき、制御部５５は予めプログラムされた時間に従って動作し、吸着工程の継続時間が所定時間に達すると、自動的に吸着工程を中止して、吸着剤５３ａを活性化する活性化工程に入る。所定時間の活性化工程を終了して吸着剤５３ａが活性を回復すると、再び制御部５５は吸着工程を実行する。すなわち、第２のダンパー５６ｂによって第２の排気孔５７を閉じ、第１のダンパー５６ａによって送風口５４を開いて、ヒータ５３ｂへの通電を停止し、換気部５８を運転する。
【０００５】
このとき、制御部５５は、湿度計５９が検知する浴室内の空気の相対湿度が４０％以下となる期間が１時間以上持続するように、換気部５８、除湿部５３、第１のダンパ５６ａ、第２のダンパ５６ｂを制御する。前記の条件で装置を運転して、浴室内にカビが繁殖することを防止する。
【発明の開示】
【発明が解決しようとする課題】
【０００６】
上記のように構成した浴室乾燥装置によれば、相対湿度４０％以下という条件のみでは、一般的な生活空間では乾燥し過ぎ、前記相対湿度条件を１時間以上持続させるのは、ランニングコストが高くなるという問題があった。
また、冷凍装置を用いた除湿装置では、冬季などの気温が低い場合は特に、４０％以下にしなければならないという条件は、圧縮機などの能力的に困難を要する、という問題があった。
【０００７】
本発明は上記のような課題を解決するためになされたもので、使用場所及び目的に応じた相対湿度によって、菌糸の成長を停止させ、カビの繁殖を防ぐことができる除湿機を得ることを目的とする。
【課題を解決するための手段】
【０００８】
本発明に係る除湿機は、本体内に配設された圧縮機と、室内の相対湿度を検出する湿度センサと、この湿度センサの検出量に基づいて圧縮機を制御する制御部とを備えた除湿機において、湿度センサにより検出された室内の相対湿度がカビの繁殖を抑える所定の湿度範囲で、所定時間、圧縮機を運転するものである。
【０００９】
また、本発明に係る除湿機は、本体内に配設された圧縮機と、室内の相対湿度を検出する湿度センサと、この湿度センサの検出量に基づいて圧縮機を制御する制御部とを備えた除湿機において、湿度センサにより検出された室内の相対湿度が４０〜６０％の湿度範囲で、所定時間、圧縮機を運転するものである。
【００１０】
また、本発明に係る除湿機は、本体内に配設された圧縮機と、室内の相対湿度を検出する湿度センサと、この湿度センサの検出量に基づいて圧縮機を制御する制御部とを備えた除湿機において、湿度センサにより検出された室内の相対湿度が４０〜６０％の間の湿度範囲で、湿度に応じて予め設定された時間、圧縮機を運転するものである。
【発明の効果】
【００１１】
以上の説明から明らかなように、本発明に係る除湿機は、本体内に配設された圧縮機と、室内の相対湿度を検出する湿度センサと、この湿度センサの検出量に基づいて圧縮機を制御する制御部とを備えた除湿機において、湿度センサにより検出された室内の相対湿度がカビの繁殖を抑える所定の湿度範囲で、所定時間、圧縮機を運転するようにしたので、カビの繁殖を防止できる。
【００１２】
また、本発明に係る除湿機は、本体内に配設された圧縮機と、室内の相対湿度を検出する湿度センサと、この湿度センサの検出量に基づいて圧縮機を制御する制御部とを備えた除湿機において、湿度センサにより検出された室内の相対湿度が４０〜６０％の湿度範囲で、所定時間、圧縮機を運転するようにしたので、カビの繁殖を防止できる。
【００１３】
また、本発明に係る除湿機は、本体内に配設された圧縮機と、室内の相対湿度を検出する湿度センサと、この湿度センサの検出量に基づいて圧縮機を制御する制御部とを備えた除湿機において、湿度センサにより検出された室内の相対湿度が４０〜６０％の間の湿度範囲で、湿度に応じて予め設定された時間、圧縮機を運転するようにしたので、カビの繁殖を防止できる。
【発明を実施するための最良の形態】
【００１４】
［実施の形態１］
図１は本発明の実施の形態１の構成図、図２は図１の操作パネルの正面図、図３は図１の制御装置のブロック図である。１は除湿機本体で、外箱２、吸入グリル３、吹き出しグリル４によって外郭が構成されている。そして、除湿機本体１の内部には、圧縮機５、凝縮器６、絞り装置７、蒸発器８、ファン１０を有しモータで駆動される送風機９からなる冷凍手段と、蒸発器８により生成された除湿水が水受け皿１１のドレン口１２より滴下して貯まる排水タンク１３と、送風経路に設けられたヒータなどの加熱手段１４と、除湿機の運転を制御する制御装置１５とが配設され、外箱２には、室内の相対湿度を検知する湿度センサ１６、温度を検知する温度センサ１７が取り付けられている。
【００１５】
１８は運転ＯＮ／ＯＦＦスイッチ、１９は連続運転スイッチ、２０，２１，２２はそれぞれ防カビモードである４０％湿度設定スイッチ、５０％湿度設定スイッチ及び６０％湿度設定スイッチであり、これらは操作パネル上に設けられている。そして、除湿機本体１の内部に配設された制御装置１５は、運転ＯＮ／ＯＦＦスイッチ１８、連続運転スイッチ１９、４０％湿度設定スイッチ２０、５０％湿度設定スイッチ２１及び６０％湿度設定スイッチ２２の入力を判定する入力回路２３と、入力回路２３の出力信号及び湿度センサ１６の検出信号を受けて運転モードを判定する判定回路２４と、判定回路２４の出力信号を受けて湿度を設定する湿度設定回路２５と、湿度設定回路２５の出力信号を受けて運転時間を設定する運転時間設定回路２６と、運転時間設定回路２６の出力信号を受けて圧縮機５及び送風機９を駆動する出力リレー回路２７とを備えている。
【００１６】
上記のように構成した実施の形態１の作用を説明する。運転ＯＮ／ＯＦＦスイッチ１８をＯＮして電源を投入した後、連続運転スイッチ１９を選択した場合、湿度センサ１６により検知された相対湿度が所定の値を上回ると圧縮機５を運転し、下回ると送風機９のみを運転して、その後、湿度の変動に応じて圧縮機５をＯＮ／ＯＦＦ制御する。
【００１７】
運転ＯＮ／ＯＦＦスイッチ１８をＯＮして電源を投入した後、４０％湿度設定スイッチ２０、５０％湿度設定スイッチ２１または６０％湿度設定スイッチ２２のいずれかを選択すると、その出力信号により入力回路２３が設定された湿度を判定し、湿度センサ１６の検出信号と入力回路２３の出力信号を受けた判定回路２４は、選択した湿度と電源ＯＮ時の湿度との高低を判断し、運転モードを判定する。このとき、選択した湿度の方が低い場合は、湿度設定回路２５により選択した湿度が設定され、運転時間設定回路２６において、運転時間を設定湿度が４０％のときは２時間、５０％のときは４時間、６０％のときは６時間と設定されて圧縮機５及び送風機９を運転し、除湿作用を行う。
【００１８】
この運転時間は、運転前の相対湿度が９０％の場合を基準としている。また、このとき、設定時間は、設定湿度になった時点からカウントする。湿度センサ１６の検出信号に基づき、湿度が湿度設定回路２５に設定した湿度値を下回ると、圧縮機５の運転を停止し、送風機９のみを駆動する。圧縮機５の運転停止により、湿度センサ１６の検出信号が湿度設定回路２５に設定された湿度を越えると、圧縮機５の運転を再開し、除湿作用を行う。
選択した湿度の方が現在の湿度より高い場合は、アラームなどの警報、ランプの点滅などの信号により、使用者に知らせる。
【００１９】
一般家庭などで生息、繁殖するカビは多種類に及んでいるが、好乾性カビであるユーロチウム・ハーバリオウムの存在率（約６０％）が高い。
図４は、前記のカビの低湿度による防カビ効果を示したものである。このカビを相対湿度９０％の環境に３日間おいて培養した後、４０％、５０％、６０％の低湿度環境に、それぞれ２時間、４時間、６時間おき、その後、再度相対湿度９０％の環境に戻しても、菌糸の長さは変化しない。すなわち、菌糸は死滅し、それ以上の繁殖が防止できる。なお、５５％、５時間処理では、菌糸の成長は抑制できない。
【００２０】
また、運転時間の計測を相対湿度が６０％に達した時点でスタートさせ、運転時間を積算してもよい。例えば、選択湿度が４０％の場合、まず、６０％になった時点から５０％になるまでの時間をカウントする。その後、５０％になった時点で５０％〜４０％になるまでの時間を再カウントする。そして、４０％になった時点で、タイマーがスタートしてから６時間以上経過した場合は、その時点で圧縮機５の運転を停止する。また、５０％になった時点から４時間以上経過した場合は、その時点で圧縮機５の運転を停止する。また、タイマーがスタートしてから１時間以内であれば、４０％に達した時点から２時間カウント後、圧縮機５の運転を停止する。あるいは、タイマーがスタートしてから１時間以上であれば、菌糸の乾燥のダメージを大きく与えるため、４０％に達してから２時間以内で圧縮機５の運転を停止する。
【００２１】
［実施の形態２］
図５は本発明の実施の形態２の制御装置のブロック図である。なお、本実施の形態の除湿機における基本構成は実施の形態１で示した場合と実質的に同様なので、説明は省略する。
【００２２】
本実施の形態における除湿機は、設定相対湿度の持続時間を低減するために、除湿作用を行う前に、室温を上昇させる加熱制御手段を備えたものである。特に、寒冷地では、凝縮器の加熱だけでは室温上昇は難しいため、加熱制御手段が必要である。
空気は温度によって相対湿度が変わる。空気が含み得る水蒸気の量は温度が高いほど多いため、同じ絶対湿度、つまり一定量の空気に一定量の水蒸気が含まれる場合、温度が低ければ相対湿度は高くなり、温度が１℃下がると相対湿度は約５％上昇する。逆に、空気の温度が高ければ相対湿度は低くなるため、室温を上昇させることは防カビには有効な方法である。
【００２３】
図１、図５において、除湿機本体１の内部に配設された制御装置１５は、運転ＯＮ／ＯＦＦスイッチ１８、連続運転スイッチ１９、防カビモードである４０％湿度設定スイッチ２０、５０％湿度設定スイッチ２１、６０％湿度設定スイッチ２２及びヒータＯＮ／ＯＦＦスイッチ２８からの入力信号を判定する入力回路２３と、入力回路２３の出力信号、湿度センサ１６及び温度センサ１７の検出信号を受けて運転モードを判定する判定回路２４と、判定回路２４の出力信号を受けて湿度を設定する湿度設定回路２５及び温度設定回路２９と、湿度設定回路２５及び温度設定回路２９の出力信号を受けて運転時間を設定する運転時間設定回路２６と、運転時間設定回路２６の出力信号を受けて圧縮機５、送風機９またはヒータ１４を駆動する出力リレー回路２７とを備えている。
【００２４】
上記のように構成した実施の形態２の作用を説明する。運転ＯＮ／ＯＦＦスイッチ１８をＯＮして電源を投入した後、連続運転スイッチ１９を選択した場合、湿度センサ１６により検知された相対湿度が、所定の値を上回ると圧縮機５を運転し、下回ると送風機９のみの運転となり、その後、湿度の変動に応じて、圧縮機５をＯＮ／ＯＦＦ制御する。
【００２５】
運転ＯＮ／ＯＦＦスイッチ１８をＯＮして電源を投入した後、ヒータＯＮ／ＯＦＦスイッチ２８をＯＮし、４０％湿度設定スイッチ２０、５０％湿度設定スイッチ２１または６０％湿度設定スイッチ２２のいずれかを選択すると、その出力信号により入力回路２３が設定された湿度を判定し、湿度センサ１６の検出信号と入力回路２３の出力信号を受けた判定回路２４は、選択した湿度と電源ＯＮ時の湿度との高低を判断し、運転モードを判定する。このとき、選択した湿度の方が低く、かつ、室温が所定温度（例えば２５℃）以下である場合は、温度設定回路２９により室温が２５℃に設定され、ヒータ１４に通電されて送風機９のみを運転する。
【００２６】
温度センサ１７により所定の室温に達した後、ヒータ１４の加熱を停止し、湿度設定回路２５により選択した湿度が設定され、運転時間設定回路２６において、運転時間を４０％のときは２時間、５０％のときは４時間、６０％のときは６時間と設定され、圧縮機５及び送風機９を運転し、除湿作用を行う。このとき、設定時間は、設定湿度になった時点からカウントする。湿度が湿度設定回路２５に設定した湿度値を下回ると、圧縮機５の運転を停止し、送風機９のみを駆動する。圧縮機５の運転停止により、湿度センサ１６の検出信号が湿度設定回路２５に設定された湿度を越えると、圧縮機５の運転を再開し、除湿作用を行う。また、温度センサ１７の検出信号が温度設定回路２９に設定されている温度を下回ると、ヒータ１４に通電する。
【００２７】
選択した湿度の方が低く、かつ、室温が所定温度（２５℃）以上である場合は、ヒータＯＮ／ＯＦＦスイッチ２８は自動的に解除され、湿度設定回路２５から圧縮機５をＯＮ／ＯＦＦ制御する。
選択した湿度の方が現在の湿度より高い場合は、アラームなどの警報、ランプの点滅などの信号により使用者に知らせる。
【００２８】
運転前が低温高湿度である場合、圧縮機５の運転前に室温を上げることで湿度は低下する。室温が上昇し、ある程度、湿度が低下した時点で、圧縮機５を運転して除湿作用を行うことにより、電気代などのランニングコストを低減できる。また、設定湿度に達するまでの時間も短縮できる。
【００２９】
［実施の形態３］
図６は本発明の実施の形態３のフローチャートで、除湿機の制御を示す。なお、本実施の形態における除湿機及び制御装置の基本構成は実施の形態１で示した場合と同様なので、説明を省略する。
【００３０】
この除湿機は、カビは生育環境により耐乾性に違いがあるため、運転前の湿度に応じて低湿度制御時間を変えて、確実に防カビすることができるようにしたものである。
一般的に、高湿度で生育したカビの方が、低湿度で生育したカビより耐乾性が弱い。７０％で生育したカビは、９５％で生育したカビの数倍〜１０数倍長く低湿度環境におく必要があり、６０％では２４時間でも死滅しない。従って、７０％で生育したカビは、４０％及び５０％の低湿度に設定する必要がある。
【００３１】
実施の形態３においては、除湿機本体１の内側に４０％湿度設定スイッチ２０、５０％湿度設定スイッチ２１及び６０％湿度設定スイッチ２２と、ＬＥＤランプをそれぞれ配置する。
【００３２】
上記のように構成した実施の形態３の作用を、図３、図６を用いて説明する。運転ＯＮ／ＯＦＦスイッチ１８をＯＮして電源を投入した後、連続運転スイッチ１９を選択した場合、湿度センサ１６により検知された相対湿度が所定の値を上回ると圧縮機５を運転し、下回ると送風機９のみの運転となり、その後、湿度の変動に応じて、圧縮機５をＯＮ／ＯＦＦ制御する。
【００３３】
防カビモードの動作は、運転ＯＮ／ＯＦＦスイッチ１８をＯＮして電源を投入後、４０％湿度設定スイッチ２０、５０％湿度設定スイッチ２１、または６０％湿度設定スイッチ２２のいずれかを選択すると、その出力信号により入力回路２３が設定された湿度を判定し、湿度センサ１６の検出信号と入力回路２３の出力信号を受けた判定回路２４は、選択した湿度と電源ＯＮ時の湿度との高低を判断し、運転モードを判定する。このとき、電源ＯＮ時の湿度が８０％未満のときは、５０％湿度設定スイッチ２１及び６０％湿度設定スイッチ２２を選択しても、自動的に４０％に設定変更され、運転時間設定回路２６において６時間と設定され、圧縮機５及び送風機９を運転し、除湿作用を行う。設定時間は、設定湿度になった時間からカウントする。湿度が４０％を下回ると圧縮機５の運転を停止し、送風機９のみを駆動する。圧縮機５停止により、湿度センサ１６の検出信号が４０％を越えると圧縮機５の運転を再開し、除湿作用を行う。
【００３４】
また、電源ＯＮ時の湿度が８０％〜９０％のとき、６０％湿度設定スイッチ２２を選択しても、自動的に湿度設定回路２５により４０％または５０％に設定変更され、使用者は再設定する。再設定後、運転時間設定回路２６において、運転時間を設定湿度が４０％のときは４時間、５０％のときは６時間と設定され、圧縮機５及び送風機９を運転し、除湿作用を行う。このとき、設定時間は設定湿度になった時点からカウントする。湿度が湿度設定回路２５に設定した湿度値を下回ると、圧縮機５の運転を停止し、送風機９のみを駆動する。圧縮機５の運転停止により、湿度センサ１６の検出信号が湿度設定回路２５に設定されて湿度を越えると、圧縮機５の運転を再開し、除湿作用を行う。
【００３５】
また、電源ＯＮ時の湿度が９０％以上のときは、運転時間設定回路２６において、運転時間を設定湿度が４０％のときは１時間、５０％のときは３時間、６０％のときは５時間と設定され、圧縮機５及び送風機９を運転し、除湿作用を行う。このとき、設定時間は、設定湿度になった時点からカウントする。湿度が湿度設定回路２５に設定した湿度値を下回ると、圧縮機５の運転を停止し、送風機９のみを駆動する。圧縮機５の運転停止により、湿度センサ１６の検出信号が湿度設定回路２５に設定されている湿度を越えると圧縮機５の運転を再開し、除湿作用を行う。
選択した湿度の方が現在の湿度より高い場合は、アラームなどの警報、ランプの点滅などの信号により、使用者に知らせる。
これにより、防カビの効果を向上させ、除湿機の運転時間を短縮させ、効率的に処理することができる。
【００３６】
［実施の形態４］
図７は本発明の実施の形態４の構成図、図８は図７の制御装置のブロック図である。なお、本実施の形態の除湿機及び制御装置の基本構成は実施の形態１で示した場合と同様なので、説明を省略する。
【００３７】
この除湿機は、抗菌、防カビまたは防虫成分を発揮させる放出機構を備え、湿度制御との防カビ相乗効果を得るようにしたものである。
ヒノキチオール、ジャスミン、ペパーミント、ティトリーなどは、アロマテラピーとしても一般的に使用されているが、その成分には抗菌成分も含んでいる。
【００３８】
図７において、３０は抗菌、防カビまたは防虫成分の放出機構であり、収納ケース３１と、マイクロカプセルに封入されて収納ケース３１内に入れられた抗菌剤、防カビ剤または防虫剤３２と、送風経路に放出するための放出部３３と、収納ケース３１と放出部３３の間に設けられて放出部３３を開閉するための電磁弁３４とにより構成されている。収納ケース３１は、小型電動ポンプと放出部３３とにワンタッチで接続でき、また、外箱２の上面において開口し、抗菌剤、防カビ剤または防虫剤３２を補充することができ、薬剤の出し入れ時以外は、通常密閉されている。なお、放出部３３は、送風経路に均一に放出されるように配設されている。
【００３９】
除湿機本体１の内部に配設された制御装置１５は、運転ＯＮ／ＯＦＦスイッチ１８、連続運転スイッチ１９と、抗菌、防カビまたは防虫成分を放出するモードであるアロマ防カビスイッチ３５と、このアロマ防カビスイッチ３５の出力を受けて、４０％湿度設定スイッチ２０、５０％湿度設定スイッチ２１又は６０％湿度設定スイッチ２２からの入力信号を判定する入力回路２３と、入力回路２３の出力信号及び湿度センサ１６の検出信号を受けて運転モードを判定する判定回路２４と、判定回路２４の出力信号を受けて湿度を設定する湿度設定回路２５と、湿度設定回路２５の出力信号を受けて運転時間を設定する運転時間設定回路２６と、判定回路２４の出力信号を受けて抗菌、防カビまたは防虫成分の放出を設定する放出設定回路３６と、運転時間設定回路２６及び放出設定回路３６の出力信号を受けて圧縮機５、送風機１０及び放出機構３０を駆動する出力リレー回路２７とを設けている。
【００４０】
以上のように構成された除湿機について、以下、アロマ防カビスイッチ３５を選択した場合の動作を説明する。アロマ防カビスイッチ３５を選択しない場合は、実施の形態１と同様であるため説明を省略する。
運転ＯＮ／ＯＦＦスイッチ１８をＯＮして電源を投入した後、連続運転スイッチ１９を選択した場合、湿度センサ１６により検知された相対湿度が所定の値を上回ると圧縮機５を運転し、下回ると送風機９のみの運転となり、その後、湿度の変動に応じて、圧縮機５をＯＮ／ＯＦＦ制御する。送風経路の放出機構３０の電磁弁３４は、運転ＯＮ／ＯＦＦスイッチ１８をＯＮして電源を投入した後、一定時間開放され、放出部３３から抗菌、防カビ、防虫成分が一定量放出された後、電磁弁３４が閉鎖される。
【００４１】
運転ＯＮ／ＯＦＦスイッチ１８をＯＮして電源を投入した後、４０％湿度設定スイッチ２０、５０％湿度設定スイッチ２１、または６０％湿度設定スイッチ２２のいずれかを選択すると、その出力信号により入力回路２３が設定された湿度を判定し、湿度センサ１６の検出信号と入力回路２３の出力信号を受けた判定回路２４は、選択した湿度と電源ＯＮ時の湿度との高低を判断し、運転モードを判定する。このとき、選択した湿度の方が低い場合は、湿度設定回路２５にて選択した湿度が設定され、運転設定回路２６において、運転時間を設定湿度が４０％のときは２時間、５０％のときは４時間、６０％のときは６時間と設定され、圧縮機５及び送風機９が運転されて除湿作用を行う。このとき、設定期間は、設定湿度になった時点からカウントする。
【００４２】
湿度センサ１６の検出信号に基づき、湿度が湿度設定回路２５に設定した湿度値を下回ると、圧縮機５の運転を停止し、送風機９のみを駆動する。圧縮機５の運転停止により、湿度センサ１６の検出信号が湿度設定回路２５に設定されている湿度を越えると圧縮機５の運転を再開し、除湿作用を行う。送風経路の放出機構３０の電磁弁３４は、運転ＯＮ／ＯＦＦスイッチ１８をＯＮして電源を投入した後、一定時間開放され、放出部３３から、抗菌、防カビ、防虫成分が一定量放出された後、閉鎖される。
選択した湿度の方が現在の湿度より高い場合は、アラームなどの警報、点滅などの信号により使用者に知らせる。
【図面の簡単な説明】
【００４３】
【図１】本発明の実施の形態１の除湿機を示す構成図である。
【図２】図１の操作パネルの正面図である。
【図３】図１の制御装置のブロック図である。
【図４】除湿機の菌糸成長抑制効果を示す説明図である。
【図５】本発明の実施の形態２の制御装置のブロック図である。
【図６】本発明の実施の形態３のフローチャートである。
【図７】本発明の実施の形態４の除湿機を示す構成図である。
【図８】図７の制御装置のブロック図である。
【図９】従来の乾燥装置の一例を示す構成図である。
【符号の説明】
【００４４】
１  除湿機本体、５  圧縮機、６  凝縮器、８  蒸発器、１３  排水タンク、１４  ヒータ、１５  制御装置、１６  湿度センサ、１７  温度センサ、３０  放出機構、３１  収納ケース、３２  抗菌剤、防カビ剤、防虫剤。
【図１】
2006159196.tif 000003
【図２】
2006159196.tif 000004
【図３】
2006159196.tif 000005
【図４】
2006159196.tif 000006
【図５】
2006159196.tif 000007
【図６】
2006159196.tif 000008
【図７】
2006159196.tif 000009
【図８】
2006159196.tif 000010
【図９】
2006159196.tif 000011